(57)【要約】  本発明は、閉じた腰部開口部（１８）を形成するために両側の横継目領域（１４）のところで製造者側で相互に結合された前側の腹部区域（４）および後側の背中区域（６）と、腹部区域（４）および背中区域（６）に取外し不能に接合された、吸収体（７）を有する股上区域（８）とを備える、身体の排泄物を受容するためのパンツ型の失禁用品（２）を製造する連続式の方法に関するものであり、腹部区域（４）と背中区域（６）には、それぞれ相互間隔をおいて互いに平行に横方向または腰回り方向（１６）に延びる第１の弾性化手段（２８）が設けられており、腹部区域（４）および背中区域（６）の足開口部（１９）のほうを向く股上側の領域（２２、２６）には、両方の横継目領域（１４）を起点として失禁用品（２）の縦中心軸（４４）に向かう方向（５６）に延び、その際に相互間隔を増しながら円弧状に広がって延びる第２の弾性化手段（４０、４２）が設けられており、次の各方法ステップ、すなわち、第１の輪郭断裁（１１２）によって形成される脚切抜部（１１６）を有する、吸収体（７）を有する股上区域（８）を供給し、失禁用品（２）の後の腹部区域（４）ないし後の背中区域（６）を形成する２つの不織布ベースの部分ウェブ（１２２、１２４）を供給し、第２の弾性化手段（４０、４２）を両方の部分ウェブ（１２２、１２４）の上に供給して載置し、これに固定し、股上区域（８）を両方の部分ウェブ（１２２、１２４）と統合して、股上区域（８）が縦方向（９）で機械方向（１２０）に対して横向きに一方の部分ウェブ（１２２）および他方の部分ウェブ（１２４）と重なり合うとともに、股上区域（８）が機械方向（１２０）で相互に間隔をおいて配置されるようにし、股上区域（８）と部分ウェブ（１２２、１２４）を重なり合い領域で固定し、機械方向（１２０）へさらに搬送し、第１の弾性化手段（２８）を機械方向（１２０）で部分ウェブ（１２２、１２４）に供給して載置して固定し、実質的に円弧状の足切抜部（１４６）を形成するために、部分ウェブ（１２２、１２４）を互いに向き合う縁部区域（５８、６０）のところで対象とする第２の輪郭断裁（１４２）を実行し、機械方向（１２０）に延びる折線（１５０）を中心として折り畳み、それにより、一方の部分ウェブ（１２２）が他方の部分ウェブ（１２４）の上に載るようにし、製造されるべき失禁用品（２）の横継目領域（１４）を構成するために、相上下して位置している部分ウェブ（１２２、１２４）を機械方向（１２０）に対して横向きに相互間隔をおきながら接合し、腹部区域（４）、背中区域（６）、およびこれらの間に配置された股上区域（８）を有する製品を得て、機械方向（１２０）に対して横向きに分離断裁を実行して、切り離されて完成した失禁用品（２）を得る方法ステップを含む。
2011506005.tif 000002
【特許請求の範囲】
【請求項１】
腰回り方向（１６）に閉じた腰部開口部（１８）を備える横方向または腰回り方向（１６）に連続した腹部ベルトと背中ベルトを形成するために両側の横継目領域（１４）のところで製造者側で相互に結合された前側の腹部区域（４）および後側の背中区域（６）と、前記腹部区域（４）と前記背中区域（６）の間で縦方向（９）に延び、前記腹部区域（４）および前記背中区域（６）に取外し不能に接合された、吸収体（７）を有する股上区域（８）とを備える、身体の排泄物を受容するためのパンツ型の失禁用品（２）を製造する連続式の方法において、前記股上区域（８）と前記腹部区域（４）と前記背中区域（６）はいずれも前記失禁用品（２）の足開口部（１９）を区切っており、前記腹部区域（４）と前記背中区域（６）には、それぞれ相互間隔をおいて互いに平行に横方向または腰回り方向（１６）に延び、そのようにして前記腹部区域（４）と前記背中区域（６）を面状に弾性化する第１の弾性化手段（２８）が設けられており、前記腹部区域（４）および前記背中区域（６）の前記足開口部（１９）のほうを向く股上側の領域（２２、２６）には、両方の前記横継目領域（１４）を起点として前記失禁用品（２）の縦中心軸（４４）に向かう方向（５６）に延び、その際に相互間隔を増しながら円弧状に広がって延びる第２の弾性化手段（４０、４２）が設けられており、次の各方法ステップ、すなわち、
−第１の輪郭断裁（１１２）によって形成される脚切抜部（１１６）を有する、前記吸収体（７）を有する前記股上区域（８）を供給し、
−前記失禁用品（２）の前記腹部区域（４）ないし前記背中区域（６）を形成する２つの不織布ベースの部分ウェブ（１２２、１２４）を供給し、
−前記第２の弾性化手段（４０、４２）を両方の前記部分ウェブ（１２２、１２４）の上に供給して載置し、これに固定し、
−前記股上区域（８）を両方の前記部分ウェブ（１２２、１２４）と統合して、前記股上区域（８）が縦方向（９）で機械方向（１２０）に対して横向きに一方の端部で一方の前記部分ウェブ（１２２）および他方の端部で他方の前記部分ウェブ（１２４）と重なり合うとともに、前記股上区域（８）が機械方向（１２０）で相互に間隔をおいて配置されるようにし、前記股上区域（８）と前記部分ウェブ（１２２、１２４）を重なり合い領域で固定し、機械方向（１２０）へさらに搬送し、
−前記第１の弾性化手段（２８）を機械方向（１２０）で前記部分ウェブ（１２２、１２４）に供給して載置して固定し、
−実質的に円弧状の前記足切抜部（１４６）を形成するために、前記部分ウェブ（１２２、１２４）を互いに向き合う縁部区域（５８、６０）のところで対象とする第２の輪郭断裁（１４２）を実行し、
−機械方向（１２０）に延びる折線（１５０）を中心として折り畳み、それにより、一方の前記部分ウェブ（１２２）が他方の前記部分ウェブ（１２４）の上に載るようにし、
−製造されるべき前記失禁用品（２）の前記横継目領域（１４）を構成するために、相上下して位置している前記部分ウェブ（１２２、１２４）を機械方向（１２０）に対して横向きに相互間隔をおきながら接合し、前記腹部区域（４）、前記背中区域（６）、およびこれらの間に配置された前記股上区域（８）を有する製品を得て、
−機械方向（１２０）に対して横向きに分離断裁を実行して、切り離されて完成した失禁用品（２）を得る方法ステップ
を含む方法。
【請求項２】
前記第２の弾性化手段（４０、４２）を供給、載置、固定する方法ステップの後に、前記第２の弾性化手段（４０、４２）を覆う不織布被覆層（１２６、１２８）が各々の前記部分ウェブ（１２２、１２４）の上に供給されて載置され、２つの前記部分ウェブ（１２２、１２４）は機械方向で相互間隔をおきながら互いに平行にさらに搬送されることを特徴とする請求項１に記載の方法。
【請求項３】
前記第１の弾性化手段（２８）を供給、載置、固定する方法ステップの後に、前記第１の弾性化手段を覆う不織布被覆層（１３４、１３６）が各々の前記部分ウェブ（１２２、１２４）の上に供給されて載置され、２つの前記部分ウェブ（１２２、１２４）は機械方向で相互間隔をおきながら互いに平行にさらに搬送されることを特徴とする請求項１または２に記載の方法。
【請求項４】
前記股上区域（８）に前記足切抜部（１１６）を形成するための前記第１の輪郭断裁（１１２）は連続式の前記方法の枠内で実行されることを特徴とする請求項１、２または３に記載の方法。
【請求項５】
前記股上区域（８）は連続式の前記方法の枠内で形成され、そのためにエンドレスのトップシート材料ウェブ（６４）、エンドレスのバックシート材料ウェブ（６２）、および吸収体（７）が機械方向に供給され、前記吸収体（７）が互いに間隔をおきながら前記トップシート材料ウェブ（６４）と前記バックシート材料ウェブ（６２）の間に配置され、こうして形成された複合体がそれ自体で固定され、前記複合体で前記第１の輪郭断裁（１１２）が実行され、それにより前記足切抜部（１１６）を前記股上区域（８）に形成することを特徴とする請求項４に記載の方法。
【請求項６】
前記股上区域（８）に足弾性化手段（８２）が供給され、特に前記トップシート材料ウェブ（６４）と前記バックシート材料ウェブ（６２）の間に供給されることを特徴とする先行請求項のうちいずれか一項または複数項に記載の方法。
【請求項７】
前記足弾性化手段（８２）は、前記吸収体（７）に対して変化する間隔をおいて延びるとともに、その縦端部のところで中央部よりも広い間隔を前記吸収体（７）に対して有するように供給されることを特徴とする請求項６に記載の方法。
【請求項８】
前記バックシート材料ウェブ（６２）は不織布被覆および／または補強被覆（９４）を備える液体不透過性のフィルムウェブの形態で供給されることを特徴とする請求項５、６または７に記載の方法。
【請求項９】
エンドレスの不織布ウェブがまず供給され、次いで前記不織布ウェブが２つの前記部分ウェブ（１２２、１２４）を形成するために機械方向に沿って分割されることを特徴とする先行請求項のうちいずれか一項または複数項に記載の方法。
【請求項１０】
腰回り方向（１６）に延びる前記第１の弾性化手段（２８）は４−１０ｍｍ、特に４−８ｍｍ、特に４−６ｍｍの相互間隔で挿入されることを特徴とする先行請求項のうちいずれか一項または複数項に記載の方法。
【請求項１１】
前記第２の弾性化手段（４０、４２）は３ｍｍから３５ｍｍの間の変化する相互間隔で挿入されることを特徴とする先行請求項のうちいずれか一項または複数項に記載の方法。
【請求項１２】
前記第１および／または前記第２の弾性化手段（２８、４０、４２）は１．５−６．０の初期応力、特に２．５−５．０の初期応力のもとで前記部分ウェブに固定されることを特徴とする先行請求項のうちいずれか一項または複数項に記載の方法。
【請求項１３】
前記第２の弾性化手段（４０、４２）は前記吸収体（７）との重なり合い領域で無効化されることを特徴とする先行請求項のうちいずれか一項または複数項に記載の方法。
【請求項１４】
前記第２の輪郭断裁（１４２）は縦方向でそれぞれもっとも内側にある股上のほうを向く前記第２の弾性化手段（４０、４２）に沿って、かつこれに対して間隔（Ｄ）をおいて行われることを特徴とする先行請求項のうちいずれか一項または複数項に記載の方法。
【請求項１５】
前記間隔（Ｄ）は２−４０ｍｍ、特に３−３０ｍｍ、さらには特に４−２０ｍｍであることを特徴とする請求項１４に記載の方法。
【請求項１６】
前記第２の輪郭断裁（１４２）は前記部分ウェブ（１２２、１２４）だけを対象としており、前記股上区域（８）は対象としないことを特徴とする先行請求項のうちいずれか一項または複数項に記載の方法。
【請求項１７】
前記腹部区域（４）の前記部分ウェブ（１２２、１２４）の円弧状の前記足切抜部（１４６）は、前記背中区域（６）の前記部分ウェブ（１２２、１２４）の円弧状の前記足切抜部（１４６）とは異なる形状を有しており、特に異なる角度または半径を有していることを特徴とする先行請求項のうちいずれか一項または複数項に記載の方法。
【請求項１８】
前記足開口部（１９）に沿って、前記股上区域（８）から前記腹部区域（４）および／または前記背中区域（６）への移行部で不連続的な形状が設けられていることを特徴とする先行請求項のうちいずれか一項または複数項に記載の方法。
【請求項１９】
製造されるべき前記失禁用品の前記横継目領域（１４）を形成するための、相上下して位置する前記部分ウェブ（１２２、１２４）の接合と、分離断裁の実行とは同一の方法ステップで行われることを特徴とする先行請求項のうちいずれか一項または複数項に記載の方法。
【発明の詳細な説明】
【技術分野】
【０００１】
本発明は、腰回り方向に閉じた腰部開口部を備える横方向または腰回り方向に連続した腹部ベルトと背中ベルトを形成するために両側の横継目領域のところで製造者側で相互に結合された前側の腹部区域および後側の背中区域と、腹部区域と背中区域の間で縦方向に延び、腹部区域および背中区域に取外し不能に接合された、吸収体を有する股上区域とを備える、身体の排泄物を受容するためのパンツ型の失禁用品を製造する連続式の方法に関するものであり、股上区域と腹部区域と背中区域はいずれも失禁用品の足開口部を区切っており、腹部区域と背中区域には、それぞれ相互間隔をおいて互いに平行に横方向または腰回り方向に延び、そのようにして腹部区域と背中区域を面状に弾性化する第１の弾性化手段が設けられており、腹部区域および背中区域の足開口部のほうを向く股上側の領域には、両方の横継目領域を起点として失禁用品の縦中心軸に向かう方向に延び、その際に相互間隔を増しながら円弧状に広がって延びる（すなわち腰部から遠い）第２の弾性化手段が設けられている。
【背景技術】
【０００２】
このような種類の３つのコンポーネントからなる失禁用品は、たとえば、公開されていない出願人のドイツ特許出願第１０２００７０５５５２４．７号明細書に記載されている。
【０００３】
この特別な製品コンセプトでは、縦方向に延びる股上区域が、実質的に横方向または腰回り方向に延びる腹部区域および同様に延びる背中区域と接合された後に、これら３つのコンポーネントが平坦に展開された状態のとき、失禁用品のＨ字型の基本構造を具体化することができる。この失禁用品は、股上区域、腹部区域、および背中区域のコンポーネントからモジュール形式で構成されている。これらのコンポーネントはまず股上区域を介して相互に結合されるのが好ましく、次いで、両側の横継目領域で腹部区域が背中区域と結合されるのが有利である。これは製造者側での結合であり、それによってパンツ形状が得られる。このような結合は、典型的な場合、取り外し不能である。あるいはパンツ形状は、たとえば使用済みの失禁用品を要介護者から取り外すために、特に、特に横継目領域に延びることができる予定破断線に沿って分離可能であってもよい。
【０００４】
パンツ型の失禁用品が、開放可能かつ閉止可能な通常のおむつ形態の失禁用品と区別されるのは、基本的に、腰回り部が設けられるのが通常であり、複数の基本サイズを前提としたうえで、用品の弾性的な伸張性によって、さまざまに異なる身体サイズに合わせた適合化が実現されることによってである。そのために通常、しばしばライクラファイバとも呼ばれる、特にテープまたはファイバの形態の弾性化手段が、事前に伸長された状態で失禁用品のシャシー材料と結合され（ストレッチボンド法）、すなわち、事前に伸長された状態でたとえば接着剤によってシャシー材料に固定される。このような弾性化手段は、初期応力をかけられている結果としてシャシー材料を収縮させ、その際にひだを形成する。そうすれば、失禁用品がパンツのように利用者に装着されたときに、失禁用品ないし失禁用品の弾性化されたシャシー材料を、再び弾性的に伸長させることができる。このような種類の弾性化されたシャシー材料を備えるパンツ型の失禁用品はいくつか知られており、たとえば国際公開公報第２００４／０５２２６０Ａ１号でも取り扱われている。
【０００５】
失禁用品の股上区域と腹部区域と背中区域がいずれも足開口部を区切っていることにより、足開口部に最善の輪郭をとることは製造工学上難しいことが判明しており、現代の失禁用品の製造で普通であるように、特に数百ｍ／ｍｉｎのオーダーの高い機械速度で作業が行われる場合には特にそうである。
【発明の概要】
【発明が解決しようとする課題】
【０００６】
本発明の課題は、特に上に述べたような足開口部の輪郭という側面を考慮に入れた、冒頭に述べた構成要件を備えるパンツ型の失禁用品を製造する、経済的な仕方で実施可能な連続式の方法を提供することにある。
【課題を解決するための手段】
【０００７】
この課題は、本発明によると、次の方法ステップを備える方法によって解決される：
−第１の輪郭断裁によって形成される脚切抜部を有する、吸収体を有する股上区域を供給し、
−失禁用品の後の腹部区域ないし後の背中区域を形成する２つの不織布ベースの部分ウェブを供給し、
−第２の弾性化手段を両方の部分ウェブの上に供給して載置し、これに固定し、
−股上区域を両方の部分ウェブと統合して、股上区域が縦方向で機械方向に対して横向きに一方の部分ウェブおよび他方の部分ウェブと重なり合うとともに、股上区域が機械方向で相互に間隔をおいて配置されるようにし、股上区域と各部分ウェブを重なり合い領域で固定し、機械方向へさらに搬送し、
−第１の弾性化手段を機械方向で各部分ウェブに供給して載置して固定し、
−実質的に円弧状の足切抜部を形成するために、各部分ウェブを互いに向き合う縁部区域のところで対象とする第２の輪郭断裁を実行し、
−機械方向に延びる折線を中心として折り畳み、それにより、一方の部分ウェブが他方の部分ウェブの上に載るようにし、
−製造されるべき失禁用品の横継目領域を構成するために、相上下して位置している各部分ウェブを機械方向に対して横向きに相互間隔をおきながら接合し、腹部区域、背中区域、およびこれらの間に配置された股上区域を有する製品を得て、
−機械方向に対して横向きに分離断裁を実行して、切り離されて完成した失禁用品を得る。
【０００８】
足切抜部の構成が２段階で具体化されることにより、すなわち、衛生用品の股上区域で実行される第１の輪郭断裁と、失禁用品の腹部区域ないし背中区域を形成する両方の部分ウェブで実行される第２の輪郭断裁とで具体化されることにより、形状の付与を最適化することができる。このようにして、それぞれ個々の輪郭断裁も短くなる。さらに、個々の断裁を機械方向に合わせてより良く適合化することが可能である。さらに、輪郭断裁のための断裁装置を、断裁されるべき材料に関して最適化できるようにすることが可能であり、たとえば、異なる材料について異なる断裁カッターを使用することができる。
【０００９】
本発明による方法の好ましい実施形態では、第２の弾性化手段が各部分ウェブの上に供給されて載置され、これに固定されてから、第２の弾性化手段を覆う不織布被覆層が各々の部分ウェブの上に供給されて載置され、２つの部分ウェブは機械方向で相互間隔をおきながら互いに平行にさらに搬送される。
【００１０】
本発明による方法のさらに好ましい実施形態では、第１の弾性化手段が機械方向で各部分ウェブに供給されて載置されて固定されてから、第１の弾性化手段を覆う不織布被覆層が各々の部分ウェブに載置され、２つの部分ウェブは機械方向で相互間隔をおきながら互いに平行にさらに搬送される。
【００１１】
供給されるべき失禁用品の股上区域は、特にロールからエンドレスに供給され、股上区域に足切抜部を形成するための第１の輪郭断裁をすでに有するように、事前に構成されていることも原則として考えられる。しかしながら本発明による方法の別の実施形態では、供給されるべき股上区域が特に均一の幅を有しており、足切抜部を形成するための第１の輪郭断裁は、連続式の方法の枠内において股上区域で実行されると有利であることが判明している。
【００１２】
別の方法態様では、エンドレス（連続状）のトップシート材料ウェブ、エンドレス（連続状）のバックシート材料ウェブ、および吸収体が機械方向で供給され、吸収体が互いに間隔をおきながらトップシート材料ウェブとバックシート材料ウェブの間へ配置され、そのようにして形成された複合体がそれ自体で固定されることによって、股上区域が連続式の方法の枠内ではじめて形成されると有利であることが判明している。次いで、失禁用品の後の股上区域の足切抜部を形成するために、こうして形成された複合体で第１の輪郭断裁が実行される。
【００１３】
さらに、股上区域のそれぞれの被覆材料の間に、すなわちトップシート材料ウェブとバックシート材料ウェブの間に、足弾性化手段が供給されるのが有利である。
【００１４】
さらに足弾性化手段は、吸収体に対して変化する間隔をおいて延び、縦端部のところでは中央部よりも吸収体に対して大きい間隔を有するように供給されるのが有利である。さらに、足弾性化手段は円弧状に供給されるのが有利である。
【００１５】
足弾性化手段は、足弾性化手段が後の股上区域の円弧状の足切抜部に実質的に追随するように供給されるのが特別に有利である。
【００１６】
本方法の好ましい実施形態では、第１の輪郭断裁は、失禁用品の後の股上区域の実質的に円弧状の足切抜部が形成されるように実行される。
【００１７】
特別に好ましい実施形態では、第１の輪郭断裁は１組の断裁ローラによって実行され、すなわちアンビルローラを備える回転式カッターによって実行される。
【００１８】
本発明は、特に、股上区域が足開口部に付属する足弾性化手段を有している失禁用品を製造する場合に特別に有利であることが判明している。すなわちそのような場合、それぞれの股上区域に足弾性化手段が設けられてから切り離されるとき、足弾性化手段はそれぞれの股上区域の材料に高い引張力を及ぼして、股上区域を収縮させようとする。このことは製造工学的にコントロールするのが困難であり、また、切り離された股上区域に足開口部の輪郭を設けるのがいっそう困難になる。しかし本発明では、股上区域で区切られる足開口部の部分がすでに第１の輪郭断裁の実行の過程で製作されており、すなわち、股上区域がまだ切り離されていない時点で、つまりまだエンドレス（連続的）に搬送されている時点で製作されている。このようなエンドレスの搬送のときには、足弾性化手段によって引き起こされる、上に説明した力をより良くコントロールすることができるので、その結果、足開口部を輪郭づけするときの精度に関するより良い結果を、少ない技術的コストで実現することが可能である。
【００１９】
原則として、トップシート材料ウェブ、バックシート材料ウェブ、および吸収体の各コンポーネントは、股上区域ないし衛生用品の後の縦方向に搬送されることが考えられる。横方向への搬送も同様に考えられる。前者の場合には、エンドレスの（連続する）製造方法の過程で９０°方向転換が必要となる。それ以後の製作は失禁用品の横方向で行われるのが好ましいからである。いずれの場合でも、股上区域は機械方向に対して横向きに分断されなくてはならず、すなわち切り離されなくてはならず、次いで、エンドレスの各部分ウェブと結合するために、相互間隔をおきながらさらに搬送される。
【００２０】
バックシート材料ウェブは、液体不透過性のフィルムウェブの形態で供給することができ、このフィルムウェブに連続式の方法の前または途中で不織布被覆が施され、このことは、身体と反対を向いている失禁用品の外側の繊維のような印象を惹起することができる。部分領域でのバックシート材料ウェブの補強被覆の取付も、有利であることが判明している。補強被覆は、特に、１０−２０ｇ／ｍ2、特に１２−１７ｇ／ｍ2の単位面積あたり重量を有する不織布材料、特にポリプロピレンからなるスパンボンド不織布でできているのが好ましい。
【００２１】
バックシート材料ウェブは、特に１８−４０ｇ／ｍ2の単位面積あたり重量のフィルムを特に含んでいる。
【００２２】
バックシート材料ウェブは、使用時に液密であるにもかかわらず通気性のある、すなわち水蒸気透過性である、特にマイクロポアをもつフィルムを含んでいる。バックシート材料ウェブの水蒸気透過性は、ＤＩＮ５３１２２−１（発行：２００１年８月）に基づいて測定したとき、特に少なくとも３００ｇ／ｍ2／２４ｈ、さらには特に少なくとも１０００ｇ／ｍ2／２４ｈ、さらには特に少なくとも２０００ｇ／ｍ2／２４ｈ、さらには特に少なくとも３０００ｇ／ｍ2／２４ｈ、さらには特に少なくとも４０００ｇ／ｍ2／２４ｈ、さらには特に多くとも６０００ｇ／ｍ2／２４ｈである。
【００２３】
吸収体は体液を吸収する材料を含んでおり、たとえば天然糸または合成糸、特に、好ましくはセルロースフラッフの形態のセルロースファイバを含んでいる。さらに吸収体は、特に表面架橋されて部分中和されたポリアクリレートをベースとする超吸収性材料（ＳＡＰ）を含むのが好ましい。
【００２４】
足弾性化手段としてはファイバ状またはテープ状の弾性化手段、たとえばゴムまたはポリエーテルポリウレタンまたはポリエステルポリウレタンなどのファイバ、好ましくはＬｙｃｒａ（登録商標）ファイバやＳｐａｎｄｅｘ（登録商標）ファイバのような弾性糸が用いられるのが好ましい。足弾性化手段は３００−１５００ｄｔｅｘの番手、特に５００−１２００ｄｔｅｘの番手、さらには特に５００−９００ｄｔｅｘの番手を有しているのが好ましい。
【００２５】
足弾性化手段は、１．５−６．０の初期応力、特に２．５−４．５の初期応力のもとで、股上区域の包囲材料に固定されるのが好ましい。
【００２６】
失禁用品の後の腹部区域および後の背中区域を形成する両方の部分ウェブを供給するために、たとえば、各々の部分ウェブが独自のロールから繰り出されて製造方法に供給されることが考えられる。あるいは好ましい方法態様では、まずエンドレスの不織布ウェブを供給することができ、次いでこの不織布ウェブが、２つの部分ウェブを形成するために、機械方向に沿って分割される。このようにして、機械にはただ１つのロールを装備するだけでよい。
【００２７】
後の腹部区域および／または後の背中区域の不織布ベースの部分ウェブは、スパンボンド不織布、メルトブロー不織布、ＳＭ不織布、ＳＭＳ不織布、ＳＭＭＳ不織布、カード不織布またはスルーエアボンデッドカード不織布の群から選択されるのが好ましい。後の腹部区域および／または後の背中区域の部分ウェブについては、スパンボンド不織布を用いるのが特別に好ましい。後の腹部区域および／または後の背中区域の部分ウェブについては、１０−３０ｇ／ｍ2、さらに好ましくは１５−２５ｇ／ｍ2の有利な単位面積あたり重量を有する不織布材料を用いるのが特別に好ましい。後の腹部区域および後の背中区域の部分ウェブとして、特に１５−２５ｇ／ｍ2の単位面積あたり重量を有するポリプロピレンからなるスパンボンド不織布が用いられるのが特別に好ましい。
【００２８】
第１および／または第２の弾性化手段は、機械方向で部分ウェブへエンドレスに供給されるのが好ましい。第１および第２の弾性化手段は機械方向で部分ウェブへエンドレスに供給されるのが特別に好ましい。
【００２９】
腰回り方向に延びる前述した第１の弾性化手段は、４から１０ｍｍ、特に４から８ｍｍ、特に４から６ｍｍの相互間隔で挿入されるのが好ましい。
【００３０】
失禁用品の縦中心軸に向かう方向で円弧状に広がる第２の弾性化手段は、３ｍｍから３５ｍｍの間の変化する相互間隔（直接相並んで位置する弾性化手段の間隔）で相応に挿入される。弾性化手段を挿入するために、振動するように駆動可能な弾性化手段の案内機構が使用されるのが好ましい。
【００３１】
第２の弾性化手段は、第２の弾性化手段の最小の相互間隔（すなわち直接相並んで位置する第２の弾性化手段の間隔）が後の横継目領域で３から８ｍｍ、特に３から７ｍｍ、さらには特に３から６ｍｍであるように挿入されるのが好ましい。
【００３２】
さらに第２の弾性化手段は、第２の弾性化手段の最大の相互間隔（すなわち直接相並んで位置する弾性化手段の間隔）が後の吸収体縁部または後の股上区域の縦縁部のところで７から３５ｍｍ、特に１０から３２ｍｍ、さらには特に１２から３０ｍｍであるように挿入されるのが好ましい。
【００３３】
後の背中区域における第２の弾性化手段の間隔は、後の腹部区域における第２の弾性化手段の間隔と相違しているのが好ましい。後の背中区域における第２の弾性化手段の最大の相互間隔は、後の腹部区域における第２の弾性化手段の最大の間隔よりも広いのが好ましい。
【００３４】
さらに、第２の弾性化手段が５０から９００％、特に１００から７００％、さらには特に１５０から５５０％の広がり度Ｆ
Ｆ＝（Ａ−Ｂ）／Ｂ*１００％
を有していると有利であることが判明している。
【００３５】
このとき広がり度Ｆは、最小間隔（Ｂ）に対する間隔増加（Ａ−Ｂ）の比率として百分率で定義される。ここでの大きさＡおよびＢは、後の失禁用品の縦方向で見てもっとも外側にある第２の弾性化手段と、縦方向で見てもっとも内側にある第２の弾性化手段との間隔として定義され（つまり、直接相並んで位置する第２の弾性化手段の間隔ではない）、Ａは、特に後の股上区域の縦縁部または後の吸収体縁部における最大間隔として定義され、Ｂは、特に後の横継目領域における最小間隔として定義される。
【００３６】
第２の弾性化手段の広がり度Ｆが、後の背中区域では後の腹部区域よりも大きいと有利であることも見出されている。
【００３７】
第２の弾性化手段が吸収体との重なり合い領域で、その弾性特性に関して無効化されていると有利である場合があることが判明している。このような無効化は、たとえば吸収体と重なり合う領域で、第２の弾性化手段を通過する複数の分離切断部によって具体化することができる。あるいは、たとえば超音波溶接やレーザ溶接のようなその他の分離方法も考えられる。第１の弾性化手段も、吸収体と重なり合う領域で、その弾性特性に関して無効化することができる。
【００３８】
第２の弾性化手段の形状、および各部分ウェブにおける第２の輪郭断裁の実行は、第２の輪郭断裁が、縦方向でそれぞれもっとも内側にある股上のほうを向く第２の弾性化手段に沿って、かつこれに対して間隔（Ｄ）をおいて行われるようになっているのが有利である。この間隔（Ｄ）は２から４０ｍｍ、特に３から３０ｍｍ、さらには特に４から２０ｍｍであるのが有利である。
【００３９】
第１および／または第２の弾性化手段２８、４０、４２は、１．５−６．０の初期応力、特に２．５−５．０の初期応力のもとで、部分ウェブに固定されるのが有利である。このとき初期応力は、弾性化手段の未伸張状態／弛緩状態に対する伸長度の係数として定義される。
【００４０】
第１および／または第２の弾性化手段としてはファイバ状またはテープ状の弾性化手段、たとえばゴムまたはポリエーテルポリウレタンまたはポリエステルポリウレタンなどのファイバ、好ましくはＬｙｃｒａ（登録商標）ファイバやＳｐａｎｄｅｘ（登録商標）ファイバのような弾性糸が用いられるのが好ましい。第１および／または第２の弾性化手段は３００−１５００ｄｔｅｘの番手、特に５００−９００ｄｔｅｘの番手、さらには特に５００−６００ｄｔｅｘの番手を有しているのが好ましい。
【００４１】
部分ウェブの上での第１および／または第２の弾性化手段の固定は、接着剤によって行われるのが好ましい。第１および／または第２の弾性化手段を固定するための接着剤は、部分ウェブおよび／または不織布被覆層へ直接塗布されるか、または、弾性化手段へ直接塗布されるのが好ましい（糸の糊づけ）。第１の弾性化手段は接着剤が直接施され、特に噴霧されるのが好ましく、第２の弾性化手段は、部分ウェブおよび／または不織布被覆層へ事前に面状に塗布された接着剤に浸けられる。
【００４２】
本発明による方法の好ましい実施形態では、第２の輪郭断裁は部分ウェブだけを対象としており、股上区域は対象としていない。したがって、足開口部に沿って、股上区域から腹部区域ないし背中区域への移行部で不連続的な形状を形成することが可能である。
【００４３】
本発明による方法の別の好ましい実施形態では、部分ウェブにおける第２の輪郭断裁の実行は、後の腹部区域の部分ウェブの円弧状の足切抜部が、後の背中区域の部分ウェブの円弧状の足切抜部とは異なる形状を有するように、特に異なる角度または半径を有するようになっている。
【００４４】
好ましい実施形態では、実質的に円弧状の足切抜部を形成するための第２の輪郭断裁は、後の腹部区域の部分ウェブと後の背中区域の部分ウェブとで第２の輪郭断裁が同時に実行されるように行われる。
【００４５】
特別に好ましい実施形態では、第２の輪郭断裁は１組の断裁ローラによって行われ、すなわちアンビルローラを備える回転式カッターによって行われる。
【００４６】
さらに、製造されるべき失禁用品の横継目領域を形成するための相上下して位置する部分ウェブの接合と、分離断裁の実行とは同一の方法ステップで行われると有利であることが判明している。
【００４７】
本発明の上記以外の構成要件、具体的事項、および利点は、添付の特許請求の範囲、図面の表示、パンツ型の失禁用品および本発明の製造方法についての以下の説明から明らかとなる。
【図面の簡単な説明】
【００４８】
【図１】本発明による失禁用品を示す平面図であり、腹部区域、背中区域、およびこれら両方をつなぐ失禁用品の股上区域はまだパンツ形状を形成するために結合されておらず、平坦に置いて展開された状態で図示されている。
【図２】図１の失禁用品を示す部分図である。
【図３】図１の失禁用品の股上区域を、同じく平坦に置いて展開された状態で示す平面図である。
【図４】図３のＩＶ−ＩＶ切断面を含む股上区域の横中心軸に沿った断面図（模式的）である。
【図５】バリア手段が展開されて起立している、図３のＶ−Ｖ切断面を含んでいる図４に対応する股上区域の断面図（模式的）である。
【図６】利用者に当てつけられた図１の失禁用品を示す斜視図（模式的）である。
【図７】股上区域と腹部区域ないし背中区域の結合部を図解するために失禁用品を示す図１に対応する平面図である。
【図８】失禁用品の腹部区域ないし背中区域における復帰力の計測を一例として示す図である。
【図９】失禁用品の腹部区域ないし背中区域における復帰力の計測を一例として示す図である。
【図１０】股上区域を製作する本発明の方法を示す模式図である。
【図１１】股上区域への部分ウェブの供給と接合、および第２の輪郭断裁の実行を示す模式図である。
【図１２】パンツ形状への折り畳み、および横継目領域の形成、およびこれに続く衛生用品の切り離しを示す模式図である。
【図１３】衛生用品の股上区域を製作するときの、バックシート材料の部分領域での被覆を示す模式図である。
【発明を実施するための形態】
【００４９】
各図面は、固体および液体の身体排泄物を受容するための、全体として参照符号２が付されたパンツ型の失禁用品を示している。失禁用品２は、ほぼ互いに独立して製作可能な３つのコンポーネントで構成されており、すなわち、前側の腹部区域４と、後側の背中区域６と、これらの間に配置され、吸収体７を有している股上区域８とで構成されており、股上区域８は、一方の腹部区域４および他方の背中区域６の主要な面積割合と重なり合っており、重なり合い領域で製造者の側により取外し不能に結合されている。図１を見ると明らかなように、このことは縦方向９を有する失禁用品のＨ字型の基本構造につながる。そして、図１に示す相互に接合された各構成要素が、図６に模式的に示すパンツ形態を形成するために、腹部区域４および背中区域６のそれぞれ側方の縦縁部区域１０、１２のところで、同じく製造者の側により相互に結合され、それによって両側に横継目領域１４（図６）が形成される。このように製造者側で製作された失禁用品のパンツ型の状態のとき、腹部区域４と背中区域６は横方向または腰回り方向１６で連続して横継目領域１４まで延びており、そのようにして、腰回り方向で閉じた腰開口部１８および足開口部１９を定義し、利用者はこれらの開口部を通してパンツのように失禁用品を装着する。
【００５０】
腹部区域４は、腰側の領域２０と、足開口部のほうを向く股上側の領域２２とに下位区分することができる。これに対応する下位区分は背中区域６でも意図されており、同じく腰側の領域２４と、足開口部のほうを向く股上側の領域２６とに下位区分される。
【００５１】
腹部区域４の腰側の領域２０、および背中区域６の腰側の領域２４には、第１の弾性化手段２８が設けられており、これらは特にＬｙｃｒａ（登録商標）ファイバのようなファイバ状の弾性化手段であってよく、事前に伸張された状態で、いわゆるストレッチボンド法で、腹部区域４および背中区域６の平坦材料（シャシー材料）と結合されている。この第１の弾性化手段２８は、横方向または腰回り方向１６で、一方の横継目領域１４から他方の横継目領域まで延びている。
【００５２】
腹部区域４ないし背中区域６の足開口部１９のほうを向く股上側の区域２２ないし２６は、横方向または腰回り方向１６とは異なる、股上区域８の横中心軸３０に向かう方向で終わる縁部輪郭３２ないし３４を有している。これらの縁部輪郭３２、３４は図１の図面でも円弧状であり、したがって足開口部１９を区切るのに適している。足開口部のほうを向く股上側の領域２２ないし２６のこのような形状により、股上区域８と腹部区域４ないし背中区域６との間で比較的広い重なり合い領域３６、３８が具体化され、このような重なり合い領域は、股上区域８と腹部区域４ないし背中区域６との引裂きに強い結合という観点から重要である。重なり合い領域３６、３８が広くなるほど、単位面積あたりの少ない接着剤量を使用することができ、このことは、シャシー材料の剛性の観点から有利に作用する。特に、各コンポーネントを結合するために、全面的ではない接着剤塗布を採用することができる。
【００５３】
腹部区域４ないし背中区域６の足開口部１９のほうを向くそれぞれ股上側の領域２２、２６は、同じく弾性化されて構成されている。そこには第２の弾性化手段４０ないし４２が設けられている。第２の弾性化手段４０、４２は、それぞれ横継目領域１４を起点として、失禁用品の縦中心軸４４に向かう方向に延びている。図１および図２を見るとわかるように、第２の弾性化手段４０、４２は縦中心軸４４に向かう方向で広がっている。このことは、それぞれの弾性化手段の間の間隔が、縦中心軸４４に向かう方向で大きくなることを意味している。このような第２の弾性化手段４０ないし４２の広がりについて、図２を参照しながら量的な面も含めて詳しく説明する。一例として図２に示す背中区域６の第２の弾性化手段４２は、横継目領域１４では３から８ｍｍの最小の相互間隔（直接的に相並んで位置する弾性化手段の間隔）を有しており、吸収体縁部４６のところでは、または股上区域８の縦縁部４８のところでは、７から３５ｍｍの最大の相互間隔（直接的に相並んで位置する弾性化手段の間隔）を有している。図２を参照すると、広がり度Ｆを次のように定義することができる：
Ｆ＝（Ａ−Ｂ）／Ｂ*１００％
【００５４】
この広がり度は有利には５０から９００％の間であり、特に１００から７００％の間であり、さらには特に１５０から５５０％の間であってよい。広がり度は背中区域６において、腹部区域４よりも大きいのが有利である。このとき大きさＡおよびＢは、縦方向９で見てもっとも外側にある第２の弾性化手段４０、４２と、縦方向９で見てもっとも内側にある第２の弾性化手段４０、４２との間隔として定義され（つまり、直接相並んで位置する第２の弾性化手段の間隔ではない）、Ａは、特に股上区域８の縦縁部４８における最大間隔として定義され、Ｂは、特に横継目領域１４における最小間隔として定義される。
【００５５】
第２の弾性化手段４０、４２における広がり度が十分に大きく選択されていれば、そのようにして、足開口部１９のほうを向く股上側の領域２２ないし２６の内部で、股上区域８に向かう方向５６で低下していく復帰力を具体化することができ、その理由は、腰回り方向または横方向１６とは異なる第２の弾性化手段４０、４２の円弧状の形状の結果、そのような第２の弾性化手段４０、４２の比較的長い経路の結果としての初期応力の大きすぎる増大が生じないように配慮されるからである。さらに、該当する股上側の領域２２ないし２６の、横継目領域１４の近くに位置している領域５０と、股上区域８の近くに位置している領域５２とに着目してみると、領域５２が面状に伸張したとき（弾性化手段４２の方向の伸張）に生じる復帰力は、領域５０が伸張したときに生じる復帰力よりも小さい。さらにこのことは、たとえば前述したケースにおいて第２の弾性化手段４０、４２によって及ぼされる小さい弾性力の結果として、腹部区域４および背中区域６のシャシー材料がさほど強く引っ張られないことにつながるという利点があり、それにより、それぞれの横継目領域１４を起点として股上区域８へ向かう方向で、折り目／ひだ５４の数も少なくなる。腹部区域４および背中区域６の足開口部のほうを向く股上側の領域２２ないし２６で腹部区域が面状に伸張したときに生じる復帰力が、矢印５６の方向で、すなわち一般的には横継目領域１４から股上区域８に向かう方向で、低下していくことによって、装着快適性のいっそう大幅な改善が実現される。そのような領域でこそ（本発明により確認されたように）弾性的に伸張可能な材料が特別に問題となるからであり、こうした材料は、人間の身体形状の特徴に即して、これらの領域で特別に引張と伸張の負荷をうけるからである。本発明に基づいて設けられるこの復帰力の低減により、つまり、矢印５６の方向すなわち股上区域８に次第に近づいていく方向で低下していく復帰力により以前には実現されていなかった自由度が創出され、これにより冒頭に述べた問題がより良く克服される。
【００５６】
冒頭で説明したとおり、復帰力は失禁用品のシャシーで直接計測することができる。そのために、腹部区域４または背中区域６の該当する領域が、定義された等しいクランプジョー幅（ｂ）をもつ２つのクランプジョー１０２、１０４（図８参照）の間に挟み込まれ、そして、測定されるべき領域を定義されたとおりに使用状態をシミュレートするように伸張をさせて、特に初期長さ（応力をかけていない状態のクランプジョー間隔）を３０％または５０％または８０％だけ伸張させて、復帰力が判定される。このときクランプジョー１０２、１０４は、それぞれ互いに離れるように動く。クランプジョー１０２、１０４は、測定されるべき領域のできるだけ多くの、ただし少なくとも２つの、相並んで配置された弾性化手段４０、４２ないし２８を固定するのがよく、また、弾性化手段の延びる方向に対して実質的に直角に向いているのがよく、それにより、各クランプジョー１０２、１０４の間での伸張が、すなわちクランプジョー１０２、１０４の離れていく運動が、実質的に弾性化手段の延びる方向に行われることになる。その様子は図８と図９に示されている。図８は、足開口部のほうを向く股上側の領域２２、２６における復帰力を、腰側の領域２０、２４における復帰力と比較するための、クランプジョー１０２、１０４の配置を原理的に示している。図９は、股上区域８に近い領域における復帰力を、横継目領域１４に近い領域における復帰力と比較するための、クランプジョー１０２、１０４の配置を原理的に示している。
【００５７】
失禁用品２の図示した好ましい実施形態では、股上のほうを向くもっとも内側にある腹部区域４の第２の弾性化手段４０と、これに対応して股上のほうを向くもっとも内側にある背中区域６の第２の弾性化手段４２との間隔Ｃは、失禁用品の断裁サイズに応じて２５０から４２０ｍｍの間である。第２の弾性化手段４０、４２は、実質的に、腹部区域４および背中区域６の股上のほうを向く横縁部５８、６０まで延びている。縦方向（９）における腹部区域４と背中区域６の相互間隔は、２５０−４００ｍｍである。
【００５８】
股上のほうを向くもっとも内側にある第２の弾性化手段４０、４２と、腹部区域４および背中区域６の足開口部のほうを向く股上側の領域２２、２６の、足開口部を区切っている縁部輪郭３２、３４との間隔は、好ましくは２−４０ｍｍ、さらに好ましくは３−３０ｍｍ、特に好ましくは４−１５ｍｍである。
【００５９】
横継目領域１４における腹部区域４および背中区域６の縦方向９の長さは、１００から２２０ｍｍの間であるのが有利である。横方向１６における股上区域８の最大長さは、２００から３５０ｍｍであるのが有利である。
【００６０】
股上区域８は、特に通気性があるが液密であるフィルム材料で形成されていてよい液体不透過性のバックシート材料６２と、好ましくは不織布をベースとするトップシート材料６４とを含んでいる。バックシート材料とトップシート材料の間には、図４、図５から明らかなように、吸収体７が配置されている。一例として図示している事例では、バックシート材料６２は、横方向１６で吸収体７から突き出すオーバーハング６６を形成している。トップシート６４は横方向で比較的少ししか吸収体７から突き出していないが、吸収体７の両側には、縦方向９に延びて屹立するバリア手段６８がそれぞれ設けられており、このバリア手段は典型的には屹立するカフ部材またはカフス部材と呼ばれ、好ましくは疎水性の、特に液体不透過性の不織布材料で形成されており、この不織布材料が、横方向１６で好ましくは股上区域８の側方の縦縁部４８まで延びている。バリア手段６８の遠位端７０はさらに別の弾性化手段７２を備えており、この弾性化手段は、失禁用品の使用時にバリア手段６８を利用者の皮膚表面に向かって持ち上げ、その様子は図５に模式的に示されている。側方のバリア手段６８はそれぞれの縦方向端部領域７４のところで、模式的に図示している固定部７６、７８を介してトップシート６４の上に、ないしはそれ自体の上に、Ｃ字型に折り畳まれた構成で固着されている。この場合、図４でそれぞれ内側に位置している固定部７８はバリア手段６８をそれ自体の上に固着するのが有利であり、すなわち横方向１６で見て、縦方向９に連続して延びるカフ基底線８０を形成する外側の固定部７６の内部で固着するのが有利であり、かつ望ましい。それに対して内側の固定部７８は、バリア手段６８の縦方向端部領域７４にのみ設けられている。
【００６１】
このとき、吸収体７に対するバックシート材料６２および／またはトップシート材料６４の前述したオーバーハング６６は、吸収体の両側の合計すなわち左と右の合計で、股上区域８の最大幅に対して少なくとも２５％であると特別に有利であることが判明している。すなわち、このようにして横方向１６で、足開口部１９に沿って延びる足弾性化手段８２を配置するためのスペースができる。すなわち足弾性化手段８２は、材料稠密であるためにどちらかというと曲げ剛性が高い吸収体７に対して、ある程度の間隔をおいて延びていると有利であることが判明しており、それにより一方では、吸収体の吸収挙動にマイナスの影響を及ぼす恐れがある、追加の伸張力またはねじり力を吸収体に及ぼすことがなく、また他方では、吸収体による影響をほぼ受けない液密な足密閉を具体化する。説明している事例では、この足弾性化手段８２は縦方向９で、腹部区域４ないし背中区域６の第２の弾性化手段４０および４２よりも手前で、特に少なくとも１０ｍｍ、好ましくは少なくとも２０ｍｍの明らかな間隔をおいて終わっているのが特別に有利であることが判明している。これらの足弾性化手段８２は縦方向９で、腹部区域４および背中区域６よりも手前で終わっているのが好ましい。このことは、そのような場合に足弾性化手段８２が腹部区域４および背中区域６の応力挙動にさほど影響を与えず、もしくはまったく影響を与えないという理由から好都合かつ重要である。すなわち、本発明で達成されるべきである装着快適性の改善という目的の観点からすると、他ならぬ腹部区域４および背中区域６の足開口部１９のほうを向く股上側の領域２２および２６こそが、そこで通常高い初期応力および相応の高い復帰力を有するように構成される足弾性化手段８２が追加的に延びていると、不都合であることが見出されたのである。
【００６２】
図１から明らかなように、股上区域８では横方向で比較的大きいオーバーハング６６が吸収体７に対して具体化されており、それは特に、腹部区域４ないし背中区域６のほうを向く股上区域８の領域においてである。それにより、すでに指摘したとおり、股上区域８と腹部区域４および背中区域６との比較的広い重なり合い領域３６、３８が実現される。１つの好ましい実施態様では、股上区域８と腹部区域４との重なり合い領域３６は、腹部区域４の面積の少なくとも１２％を有しており、股上区域８と背中区域６との重なり合い領域３８は、背中区域６の面積の少なくとも２０％を有している。このことが有利であると判明している理由は、そのような場合、たとえ全面的な接着剤塗布が適用されなくても、腹部区域４ないし背中区域６における股上区域８の確実な固定を実現できるからである。そのような場合、区域的または格子状の接着剤塗布が結合のために適用されるだけで足りるという利点がある。このことが有利である理由は、このような場合、相互に接合される材料の剛性が高くなりすぎないからである。
【００６３】
図１に対応する図７を参照して、本発明による失禁用品のさらに有利な詳細について説明する。本発明による失禁表品を製造するための３コンポーネント構想を追求することで、股上区域８と腹部区域４との間のオーバーハング９０、ならびに股上区域８と背中区域６との間のオーバーハング９２が生じ、これらのオーバーハングでは、通常、足開口部１９を区切っているシャシー材料の縁部の不連続の形状すなわちコーナーや曲がり角や屈曲部を備える形状が生じる。このことは、オーバーハング９０、９２の領域でシャシー材料の引き裂きにつながりかねない力のピークが生成され、このことが腹部区域４ないし背中区域６への股上区域８の接合に悪影響を及ぼしかねないという危険をもたらす。これに対処するために、それぞれのオーバーハング９０および９２には、股上区域８の液体不透過性のバックシート材料６２の補強被覆９４、９６が設けられている。この補強被覆９４、９６は、図７の破線でそれぞれ示した領域にだけ設ければ十分であることが判明している。補強被覆９４、９６は、一例としての図示した好ましい事例では、縦方向９で約１０から２０ｍｍだけ、特に約１５ｍｍだけ、腹部区域４および背中区域６と重なり合っている。補強被覆は、縦方向９でそれぞれ股上区域の縦方向端部９８、１００よりも手前で終わっており、すなわち、腹部側の縦方向端部９８より少なくとも３０ｍｍ手前、背中側の縦方向端部１００より少なくとも９０ｍｍ手前で終わっている。このことが有利であると判明している理由は、そのような場合、有益でないどころかむしろ望ましくなく不都合な領域で補強被覆９４、９６が不必要にシャシー材料の剛性化に寄与することがないからである。さらに、そのようにして材料費を節減することができる。ただし、補強被覆９４、９６をオーバーハング９０ないし９２以外にも設けるという選択肢が否定されるわけではない。
【００６４】
補強被覆９４、９６は、単位面積あたり重量が１０−２０ｇ／ｍ2、特に１２−１７ｇ／ｍ2である、ポリプロピレンからなるスパンボンド不織布でできているのが好ましい。
【００６５】
本発明による方法：
図１０から図１３は本発明による製造方法を示している。図１０は、股上区域８の製作を示している。そのために、高速で回転する製造機械にエンドレス（連続状）のバックシート材料ウェブ６２が供給されるとともに、エンドレス（連続状）のトップシート材料ウェブ６４および連続して吸収体７が供給され、ならびに、後の足開口部に付属する足弾性化手段８２が供給される（概略的にのみ図示）。吸収体７は互いに間隔をおきながら、トップシート材料ウェブ６４とバックシート材料ウェブ６２の間に配置され、そのようにして形成された複合体が適当な接合手段によって、特に接着剤によって、固定される。足弾性化手段８２もトップシート材料ウェブ６４とバックシート材料ウェブ６２の間に供給されて固定される。そのために第１の組のローラ１１０が用いられるとともに、図示しない仕方で接着剤が用いられる。念のために付言しておくと、股上区域８は、側方に張り出す、好ましくは弾性化されたカフを横漏れ防止材として追加的に含んでいる。このようなカフは、本例では、トップシート材料ウェブ６４の身体のほうを向く側にすでに設けられているが、図面には示していない。あるいはカフは、図１０に示す製造フローの任意の個所で、またはその後の個所で、取り付けることもできるであろう。
【００６６】
上述した説明に搬送方向で引き続いて、１組の断裁ローラ１１３を用いて第１の輪郭断裁１１２が複合体で実行される。輪郭断裁１１２の過程で、股上区域８を形成するバックシート材料ウェブ６２およびトップシート材料ウェブ６４からなる複合体から円弧状のセグメント１１４が切り取られ、そのようにして、足切抜部１１６を股上区域８に形成する。次いで、複合体は後続の断裁ステーション１１８へ搬送され、そこで搬送方向に対して横向きに、製造されるべき失禁用品の股上区域８をそれぞれ切り離すための分離断裁が行われる。同じく図１０に、吸収体７と足切抜部１１６とを備える股上区域８の外観図が示されている。
【００６７】
股上区域８はそれぞれ切り離されてから、以後の搬送の過程で９０°だけ回転し、次いで、失禁用品２の後の縦中心軸４４に対して横向きに機械方向１２０へさらに搬送される（図１１）。同じく図１１から明らかなように、失禁用品の後の腹部区域４および背中区域６を製作するために、不織布ベースの部分ウェブ１２２、１２４が供給される。これらの部分ウェブ１２２、１２４は、単一のウェブを最初の状態として、縦方向の分割により形成されていてよい。これらの部分ウェブ１２２、１２４に、冒頭に述べた第２の弾性化手段４０および４２が載せられ、そのために第２の弾性化手段は、同じくエンドレス（連続的）に搬送方向で部分ウェブ１２２、１２４へ供給される。第２の弾性化手段４０、４２を部分ウェブ１２２、１２４の上で固定するために、糊づけステーション１３０であらかじめ接着剤が塗布された不織布被覆層１２６、１２８がそれぞれ載せられ、それにより、第２の弾性化手段４０、４２は部分ウェブ１２２、１２４と不織布被覆層１２６、１２８との間に挟まれて積層される。図１１では模式的な図面であるために明らかではないが、第２の弾性化手段４０、４２は変化する相互間隔で供給されており、このことは、二重矢印１３２で図示されている振動する案内装置によって具体化される。このようにして、各々の弾性化手段４０、４２について案内装置を適宜制御することで、股上区域８に向かう方向で円弧状に広がっていく第２の弾性化手段４０、４２の形状が形成される。
【００６８】
次いで部分ウェブ１２２、１２４は、上述した複合体としてさらに搬送されていき、股上区域８と統合され、股上区域が縦方向９で機械方向１２０に対して横向きに一方の端部で一方の部分ウェブ１２２と重なり合うとともに、他方の端部で他方の部分ウェブ１２４と重なり合うようにされる。股上区域８は、統合後に機械方向１２０で相互に間隔をおいて配置されるように供給される。股上区域８と部分ウェブ１２２、１２４は図１１に見られる構成で相互に固定されて、機械方向１２０へさらに搬送される。
【００６９】
次いで、横方向または腰回り方向１６に延びる第１の弾性化手段２８が機械方向１２０でエンドレス（連続的）に供給されて、部分ウェブ１２２、１２４の上に固定される。同じく不織布ウェブ１３４、１３６が供給される。ただし、不織布ウェブ１３４、１３６は直接接着剤を施されるのではなく、接着剤は第１の弾性化手段２８に塗布され、そして第１の弾性化手段２８が部分ウェブ１２２、１２４に載せられて、不織布ウェブ１３４、１３６により覆われ、それによって挟み込まれて積層される。
【００７０】
あるいは場合によっては、弾性化手段２８および４０、４２すべてに個々に接着剤を施し、すなわち糸に糊づけすることも考えられよう。
【００７１】
場合によっては、弾性化手段２８および４０、４２への接着剤塗布の形式に関わりなく、不織布被覆層１２６、１２８、１３４および／または１３６を省略できるようにすることも考えられよう。しかしながら不織布被覆層は、同時に、失禁用品の柔らかい感触の内面を形成するという利点を有している。
【００７２】
これに続いて図１１では、さらに別の１組の断裁ローラ１４０すなわちアンビルローラを備える回転式カッターが設けられており、これらのローラの間で、それまでに形成された複合体が機械方向１２０へ上述した向きで通過する。このときに第２の輪郭断裁１４２が実行され、その過程で、好ましくは部分ウェブ１２２、１２４だけから、それぞれ円弧状のセグメント１４４が切り取られ、すなわち、部分ウェブ１２２、１２４の互いに向き合う横縁部または縁部区域５８および６０から切り取られ、それにより、足切抜部１４６が部分ウェブ１２２、１２４にも形成される。第２の輪郭断裁１４２が股上区域８ではなく部分ウェブ１２２、１２４だけを対象としていることによって、第２の輪郭断裁１４２は実質的に機械方向１２０に沿って延びており、いかなる場合にも、これに対して横向きに大きい角度で延びることはない。このようにして、股上区域８を製作する過程での第１の輪郭断裁１１２と同様に、断裁を最善に構成することができる。このように全体として、失禁用品２の後の足開口部１９を高い精度で、最善であると考えられる要求事項に即して構成することができる。このとき、第２の輪郭断裁１４２は部分ウェブ１２２において、部分ウェブ１２４とは異なる形状で構成されていてよいと有利であることが判明している。そのようにして、失禁用品２の足切抜部１４６ないし後の足開口部１９の形態を、腹部区域４と背中区域６とで別様に構成することができる。
【００７３】
こうして形成された複合体がさらに搬送されていき、図１２に概略的にのみ示している折畳みステーション１４８で、機械方向１２０に延びる折線１５０を中心として複合体がそれ自体の上に折り畳まれ、それにより、一方の部分ウェブ１２４が他方の部分ウェブ１２２の上にくるようにされる。これに引き続いて接合ステーション１５２で、それぞれの横継目領域１４が部分ウェブ１２２、１２４の間に構成され、こうして本来のパンツ形態が形成される。この方法ステップに引き続いて、分離ステーション１５４で、完成した失禁用品２の切り離しにつながる分離断裁が、機械方向１２０に対して横向きに実行される。接合ステーション１５２が、たとえば分離溶接装置の形態で、同時に分離ステーションとして構成されていることも考えられ、それにより、横継目領域１４の形成とともに失禁用品２が切り離されることになる。
【００７４】
最後に図１３は、図１０との関連ですでに説明したように、股上区域を製作するためにバックシート材料ウェブ６２が供給される過程で、図７との関連で説明した補強被覆９４がバックシート材料ウェブ６２へ区域的に施される方法の実施を模式的に示している。図８とは異なり、特に不織布区域であってよい補強被覆９４は、股上区域８の実質的に大部分を覆う。ただし、形成されるべき股上区域８の縦端部には、バックシート材料ウェブ６２が被覆されずに残される。
【図１】
2011506005.tif 000003
【図２】
2011506005.tif 000004
【図３】
2011506005.tif 000005
【図４】
2011506005.tif 000006
【図５】
2011506005.tif 000007
【図６】
2011506005.tif 000008
【図７】
2011506005.tif 000009
【図８】
2011506005.tif 000010
【図９】
2011506005.tif 000011
【図１０】
2011506005.tif 000012
【図１１】
2011506005.tif 000013
【図１２】
2011506005.tif 000014
【図１３】
2011506005.tif 000015
【国際調査報告】
2011506005.tif 000016
2011506005.tif 000017
2011506005.tif 000018
2011506005.tif 000019